(57)【要約】【課題】歩行時に靴が足に常にフィットし、足の屈曲蹴り出しが充分に可能で、履き心地がよく、疲労も少く、歩行状態における足先の締付けが小さく、これによって外反母趾などの症状を防止ないしは改善できる靴を提供。【解決手段】自然状態において、靴底２，３，４を略逆への字状に弾性屈曲する形状とし、さらに、甲皮１６の開口部前縁に沿って連続する伸縮体１７を設け、これにより、靴の前部が後部方向に引っ張られて、自然状態において、靴全体が略逆への字状に弾性屈曲する形状としたことを特徴とする靴１。【選択図】図１
2004202074.tif 000002
【特許請求の範囲】
【請求項１】
自然状態において、靴底を略逆への字状に弾性屈曲する形状としたことを特徴とする靴。
【請求項２】
自然状態において、靴底が略逆への字状に弾性屈曲するように、靴底を構成する中底の前部と後部とを弾性帯によって結合したことを特徴とする靴。
【請求項３】
自然状態において、靴底が略逆への字状に屈曲するように、靴底内に略逆への字状のプラスチックまたはゴムなどからなる弾性板を配置したことを特徴とする靴。
【請求項４】
甲皮の開口部前縁に沿って連続する伸縮体を設けたことを特徴とする請求項１乃至３のいずれか１項に記載の靴。
【請求項５】
靴底の少なくとも前部側に、縦方向に沿って１ないし複数のスリットを形成し、靴を履いた状態で、前記スリットが広がることにより甲幅が広がるようにしたことを特徴とする請求項１乃至４のいずれか１項に記載の靴。
【発明の詳細な説明】
【０００１】
【発明の属する技術分野】
本発明は、特に、パンプスタイプの靴に適用して好適な靴の改良に関するものである。
【０００２】
【従来の技術】
女性用パンプスタイプの靴において、従来から各種課題が指摘されている。その課題一つを図５を用いて説明する。図において、従来一般に見られるパンプスａは、後部にヒールブロックｂ１を一体化した靴底ｂと、靴底ｂの上部を覆う甲皮ｃとから基本的に構成され、（ａ）に示す着地状態では、ヒールブロックｂ１の高さに応じてパンプスａに重心がかかった状態である。
この状態から（ｂ）の矢印に示す蹴り出し状態では、通常では実線で示すように、靴が足先の屈曲に応じて変形し、靴底部ｂの前部底面が着地した状態で踵が上がり、靴底部ｂにおける前部底面の着地面積に応じた接地面積から順次重心を前部側に移動しつつ離陸し、この動作の左右交互繰返しにより、安定した歩行が可能となる。
【０００３】
しかしながら実際には、甲皮ｃによって甲先が拘束され、靴底部ｂも比較的硬質の素材から構成されていると、比較的足の筋肉の弱い女性や年寄、あるいは新品の靴などでは、想像線に示すごとく、足先が充分に屈曲できず、着地形状を保ったまま前傾し、極端な場合にはつま先立ち状態で蹴り出しがなされるため、その接地面積は極めて小さく、歩行が不安定で、足先の筋肉疲労などの原因ともなっていた。また、屈曲踏み出し毎に、甲皮ｃの開口部前縁ｃ１が着用者の甲に当るため擦過傷の原因となるおそれもあった。
【０００４】
また、他の課題として指摘されていることは外反母趾である。外反母趾は靴先における足指の幅に対して靴の幅サイズが小さく、足先を踏出した際に靴の上部周囲を覆う甲皮が親指と小指間を強く締付けることによって生ずる足指の変形現象であり、かつこれに伴う足先の痛みや歩行困難が指摘されている。
この外反母趾を防止するための対策としては、受注により使用者の足の各部を計測した上で個別生産される靴を選択するか、または甲幅の広い靴や、あるいは自分の足よりもサイズが一回り大きな靴を選択するなどの手段がある。
しかし、受注生産品は高額商品であり一般的でない。甲幅の広い靴は足先のスタイルなどデザイン上の問題や、これを履いた状態でのフィット感がないなどの点において以外と敬遠されているのが実状であり、市場に出回っている種類数量ともに少なく、選択の余地がない。一回り大きな靴は、ルーズであるため脱げやすく、かえって歩きづらいうえに、足先幅の小さな同じデザインの靴を選択した場合には外反母趾を必ずしも解消できるものでないなどの課題があった。
【０００５】
【発明が解決しようとする課題】
本発明は、上記の事情に基づきなされたものであり、その目的とするところは、歩行時に靴が足に常にフィットし、足の屈曲蹴り出しが充分に可能で、履き心地がよく、疲労も少ない靴を提供するものである。また本発明の他の目的は、歩行状態における足先の幅方向の締付けが小さく、これによって外反母趾などの症状を防止ないしは改善するものである。
【０００６】
【課題を解決するための手段】
このため、本発明の靴１は、図の実施の形態に示すように、自然状態において、靴底を略逆への字状に弾性屈曲する形状とした。
【０００７】
また自然状態において、靴底が略逆への字状に弾性屈曲するように、靴底を構成する中底３の前部と後部とを弾性帯１４によって結合した。
【０００８】
さらに、自然状態において、靴底が略逆への字状に弾性屈曲するように、靴底内に略逆への字状のプラスチックまたはゴムなどからなる弾性板を配置した構成とすることもできる。
【０００９】
さらに、本発明の靴は、甲皮１６の開口部前縁に沿って連続する伸縮体１７を設け、これにより、靴の前部が後部方向に引っ張られて、自然状態において、靴全体が略逆への字状に弾性屈曲する形状とした。
【００１０】
またさらに、靴底の少なくとも前部側に、縦方向に沿って１ないし複数のスリット５ａ，１０ａを形成し、靴を履いた状態で、前記スリットが広がることにより甲幅が広がるようにした。
【００１１】
以上の靴、特にパンプスによれば、自然状態において靴先が屈曲方向に付勢されているため、蹴り出し時において、足先の屈曲がその付勢力により加勢され、安定した歩行が可能で、筋肉疲労なども解消できる。また、甲皮１６の開口部前縁に対する甲の当りも緩和される。
【００１２】
さらに、踏出し時及び着地時に靴底のスリット５ａ，１０ａが開き、幅が広がって足先が甲皮１６により締付けを受けない一方で、足が上がるとスリット５ａ，１０ａが閉じて元の幅に復帰し、甲皮１６に対するフィット感を継続できる。
【００１３】
【発明の実施の形態】
以下、本発明の好ましい実施の形態につき、添付図面を参照して詳細に説明する。図１ないし図４は本発明の実施形態を示す。このうち、図１はパンプスタイプの靴の靴底部分を示す分解斜視図、図２、３は同靴底に甲皮を組付けて一体に完成した靴１を示している。
【００１４】
図１において、靴底は本底２と、本底２の上面に積層配置される各種部品からなる中座３と、中座３の上面に敷設接着される中敷４とからなっている。
【００１５】
前記本底２は、硬質ゴムなどパンプスとしての用途に適した硬度、弾性を備えた弾性素材から構成され、足形に形成された底板５と、底板５の後部下面に予め一体に貼着されたヒールブロック６とからなっており、底板５の足先側には切込みによりその長手方向に沿って複数のスリット５ａが形成され、スリット５ａを介して足先における幅方向の弾性変形を容易としている。
【００１６】
前記中座３は、硬質紙などを踵下面周囲を包囲するようにして曲面状に成形した踵型材７と、踵型材７の上面に鳩目８を介して固定されるゴム製の踵クッション材９と、クッション材９の先端側に形成された段部９ａの上面に後端を貼着され、かつ先端周縁を本底２および後述する甲皮の巻込み端縁に鋲打などによって連結される芯板１０と、芯板１０及びクッション材９の上面に貼着される表面材１１とからなっている。
【００１７】
前記芯板１０にはその長手方向に沿って複数のスリット１０ａが形成され、前記本底２とともに、足先における幅方向の伸縮性を得られるようにしている。なお、最外周のスリット１０ａがジグザグ状なのは後述する甲皮に対する鋲うちしろを確保するためである。
【００１８】
前記表面材１１は、前記クッション材９の上面に貼着される踵パッド材１２と、前記芯板１０の表面に貼着される伸縮性織布１３と、伸縮性織布１３と踵パッド材１２の双方に両端を縫合され、常時両者間を引張り付勢することにより、表面材１１を略逆への字状に弾性屈曲させるゴムなどの弾性帯１４と、伸縮性織布１３の上面周囲に縫合され、弾性帯１４の接合部分を覆うスポンジなどの材質からなる前部カバー１５とからなっている。
【００１９】
前記中敷４は、柔軟な皮革を踵形にカットしたものであり、その土踏まず内側位置の裏面には図示しないが、クッションパッドを一体に設けて張出させるとともに、パッド装着位置にパンチ加工などによる複数の通気孔４ａを形成したもので、設置状態では、前部カバー１５の後縁上面に重合して、前記弾性帯１４を隠す機能も兼用している。
【００２０】
以上において、本底２の周囲に予め縫合などにより甲部分及び踵部分の包囲展開形状に形成された後述する甲皮を取付け、次いで中座３を本底２の上面に配置し、後述する甲皮の本底２に対する巻き込み位置を中座３と本底２間に挟持固定して立体造形し、しかる後中敷４を中座３の上面に敷設することで、図２、３に示すように前述の甲皮１６を一体化したパンプス１が完成する。以上の組立には、ゴム系接着剤、複数の鋲、鳩目、あるいはこれに加えて縫製などにより行われる。
【００２１】
前記甲皮１６は柔軟な皮革素材から構成されるもので、完成状態においては、特に図３に示すように、中座３に配置された弾性帯１４の引張り力が常時作用し、仕上り状態でのパンプス１の先端は、自然状態では従来一般に示すパンプス（図４参照）に比べて先端部が略逆への字状に上がった形状となっており、またこれによって屈曲蹴り出し時における付勢力を加勢するようになっている。
【００２２】
さらに、前記甲皮１６の開口の前縁部１６ａの皮革間にはゴム紐などからなる伸縮体１７が介装されることにより、前縁部１６ａを縮径させるとともに、靴の前部が後部方向に引っ張られて、自然状態において、靴全体が略逆への字状に弾性屈曲する。これにより、上記の屈曲蹴り出し時における付勢力が一層加勢され、使用者の甲に対するフィット性を増している。
【００２３】
図４（ａ），（ｂ）は以上のパンプス１を履いて歩行する場合を示すもので、（ａ）は着地状態、（ｂ）は屈曲蹴り出し状態を示している。（ａ）の着地状態における自然状態ではパンプスの先端側は図示のごとく上がっているか、あるいは着用者の重心位置により弾性帯１４の逆への字形の付勢力に抗して従来のパンプスのごとき着地形状となる。
【００２４】
そして、この状態から（ｂ）の屈曲蹴り出し状態では、使用者の足先の筋力に加えて、前記弾性帯１４の引張り付勢力により足先が完全に屈曲し、順次重心を移動させながら蹴り出しがなされ、充分な接地面積を確保しつつ歩行が行われることになり、特に筋力の弱い人であってもつま先立ちなどの現象を防止でき安定した歩行ができ、筋肉疲労も防止できるのである。
また、屈曲毎に甲皮１６の開口部前縁１６ａが伸縮するため、使用者の甲の部分に対する当りが緩和され、フィット感を生じ、繰返し当ることによる擦過傷なども生ずることもない。
【００２５】
以上に加え、着地及び蹴り出し状態では甲皮１６を幅方向に広げる力が加わり、通常はこの締付け力が強いと外反母趾などの原因となるが、前記本底２及び中座３の芯板１０に形成されたスリット５ａ，１０ａがひろがることにより、締付けを緩和する一方、足をあげた状態では弾性力によりスリット５ａ，１０ａが閉じるため、フィット感を得ることができるものとなる。
【００２６】
なお、以上の実施形態では、略逆への字状の付勢手段として、中座３のうち、表面材１１に設けた弾性帯１４の引張り力により行っているが、表面材１１そのもの、あるいは中座３，本底２そのものを逆への字状に偏奇させたプラスチックまたはゴムなどの弾性体で構成してもよいことは勿論である。
【００２７】
また、以上の実施形態では、本発明の最も好適な適用例として女性用のパンプスに適用した場合を示したが、紳士靴、スリッパ、サンダルなど履物一般に適用可能であることは言うまでもない。
【００２８】
【発明の効果】
以上の説明により明らかなように、本発明による靴にあっては、歩行時に靴が足に常にフィットし、足の屈曲蹴り出しが充分に可能で、履き心地がよく、疲労も少ない。また、歩行状態における足先の締付けが小さく、これによって外反母趾などの症状を防止ないしは改善できる。
【００２９】
正常な足の裏は、横方向に緩やかに凹む横アーチ部が形成されているが、本発明の靴では、自然状態で、足先が上方に向くように形成されていることから、足裏の上記横アーチ部を弾性的に上方に押し上げ、バネの効果を高め、かつ、歩行時に足の先端部が上下に屈曲する、ほどよいマッサージ効果により血液の循環を良くし、体全体に好影響がある。
【図面の簡単な説明】
【図１】
本発明にかかるパンプスの靴底部分の分解斜視図である。
【図２】
同靴底に甲皮を組合わせて完成したパンプスの斜視図である。
【図３】
同断面図である。
【図４】
（ａ），（ｂ）は同パンプスを履いた人の着地状態と蹴り出し状態を示す側面図である。
【図５】
（ａ），（ｂ）は従来のパンプスを履いた人の着地状態と蹴り出し状態を示す側面図である。
【符号の説明】
１  靴（パンプス）
２，３，４  靴底（２  本底、３  中座、４  中敷）
５  底板
６  ヒールブロック
５ａ，１０ａ  スリット
１４  弾性帯
１５  前部カバー
１６  甲皮
１７  伸縮帯
【図１】
2004202074.tif 000003
【図２】
2004202074.tif 000004
【図３】
2004202074.tif 000005
【図４】
2004202074.tif 000006
【図５】
2004202074.tif 000007